(57)【特許請求の範囲】
【請求項１】
端子板と、端子板の側方より挿入される電線の芯線を端子板に接触させるとともに芯線を反挿入方向に抜け止めする錠ばねとを備え、この錠ばねは、弾性を有する導電性の板材を曲成することにより、端子板に対向配置される中央片、中央片との連結部位から先端縁に向かって端子板に近づく向きに傾斜し先端縁が芯線に食い込んで抜け止めする鎖錠片、中央片との連結部位から端子板に向けて延出され且つ先端部が芯線を端子板の方へ押圧することにより端子板との間に芯線を弾性挟持する押圧片が形成されてなり、この押圧片が、中央片との連結部位よりも先端部側で中央片との間隔が最も狭くなるように曲成されてなる端子装置であって、芯線が鎖錠片の先端部分に接触して鎖錠片が撓んだときに当該先端部分が押圧片の先端部に当接して押圧片を撓ませるように、芯線に接触する押圧片の先端部を鎖錠片の先端縁近傍に配置してなり、操作時に鎖錠片を芯線から離す向きに撓ませる解除釦を備え、押圧片の鎖錠片と対向する部位を鎖錠片から離れる向きに湾曲させてなることを特徴とする端子装置。
【請求項２】
芯線を挿入しない状態で鎖錠片の先端縁と端子板との間に隙間が空くように錠ばねが形成されたことを特徴とする請求項１記載の端子装置。
【発明の詳細な説明】
【０００１】
【発明の属する技術分野】
本発明は、端子装置に関するものである。
【０００２】
【従来の技術】
従来より、スイッチやコンセント等の配線器具への電線の結線を容易にしたり、接続の均一化を行って接続信頼性を確保する等の目的で、ねじによらずに結線可能な所謂速結構造の端子装置が提供されている。
【０００３】
図１４は従来の端子装置を用いた配線器具の側面断面図を示している。前面が開口した略箱状の合成樹脂製のボディ１と、ボディ１の前面に被着される合成樹脂製のカバー２とで配線器具の器体が構成されている。ボディ１の内部は隔壁によって複数の区画に区切られており、端子装置６’を収納する端子収納室９が両側に設けられている。端子収納室９にはそれぞれ導電材料から形成された端子板１１が収納されている。端子板１１は略コ字状に形成されたコ字状部１３を有しており、コ字状部１３にはそれぞれ一対の錠ばね１５’が収納されて端子装置６’が構成してある。また、ボディ１の底面には各端子収納室９に連通する電線挿入孔１６が設けられている。
【０００４】
錠ばね１５’の鎖錠片１５ｂ’および押圧片１５ｃ’は、弾性を有する導電材料の帯板の両端部を曲成して中央片１５ａ’の両端部に形成される。また、端子板１１のコ字状部１３は、それぞれ、中央片１３ａと、中央片１３ａの両端縁から中央片１３ａと略直交する方向にそれぞれ突出する当接片１３ｂおよび接触片１３ｃから構成される。錠ばね１５’の中央片１５ａ’は、端子板１１の当接片１３ｂに当接し、鎖錠片１５ｂ’は中央片１５ａ’との連結部位から先端縁に向かってコ字状部１３の接触片１３ｃに近付く向きに傾斜し、押圧片１５ｃ’は略Ｓ字状に曲成されており、錠ばね１５’に設けた鎖錠片１５ｂ’および押圧片１５ｃ’がコ字状部１３の接触片１３ｃと対向する。
【０００５】
端子装置６’に電線を接続する場合には、図１４に示すように電線１００の被覆が剥かれた芯線１０１を電線挿入孔１６から挿入すると、錠ばね１５’のばね力により錠ばね１５’の鎖錠片１５ｂ’及び押圧片１５ｃ’と、端子板１１の接触片１３ｃとの間に芯線１０１が挟持され、鎖錠片１５ｂ’の先端縁が芯線１０１に食い込むことによって、芯線１０１が反挿入方向に抜け止めされるようになっている。したがって、電線挿入孔１６に電線１００の芯線１０１を挿入するだけで、電線１００の芯線１０１が保持されるとともに、端子板１１への電気的接続がなされるのである。また各端子収納室９内には、一対の錠ばね１５’の鎖錠片１５ｂ’と対向させて解除釦１７’が収納されている。端子装置６’に接続された電線１００の芯線１０１を外す場合は、ボディ１の底面に穿設された工具挿入孔からマイナスドライバなどの工具を挿入して、解除釦１７’を押圧することにより、解除釦１７’の突起１７ａ’が鎖錠片１５ｂ’を押圧して、鎖錠片１５ｂ’を端子板１１の接触片１３ｃから離れる向きに撓ませるので、鎖錠片１５ｂ’が芯線１０１から離れ、芯線１０１を容易に引き抜くことができる。
【０００６】
【発明が解決しようとする課題】
ところが、上記従来の端子装置６’においては、錠ばね１５’の押圧片１５ｃ’が中央片１５ａ’との連結部位よりも先端部側へ行くほど中央片１５ａ’との間隔が広くなるように曲成されていた。すなわち、図２（ａ）に示すように押圧片１５ｃ’の中央片１５ａ’に対向する方向への曲げ部Ｘ、および中央片１５ａ’から離れる方向への曲げ部Ｙと中央片１５ａ’との各間隔Ａ，ＢがＡ＜Ｂの関係となっていたため、押圧片１５ｃ’を撓ませるのに大きな力が必要となり、錠ばね１５’を形成する導電材料の強度の関係から適用電線の範囲（接続可能な芯線１０１の直径の範囲）が狭くなっていた。また、押圧片１５ｃ’を撓ませるのに必要な力が大きいために撚り線からなる芯線を挿入しても押圧片１５ｃ’が撓まずに芯線がばらけてしまい、撚り線を結線することができなかった。
【０００７】
本発明は上記事情に鑑みて為されたものであり、その目的とするところは、適用電線の範囲を拡大できるとともに撚り線の結線も可能な端子装置を提供することにある。
【０００８】
【課題を解決するための手段】
請求項１の発明は、上記目的を達成するために、端子板と、端子板の側方より挿入される電線の芯線を端子板に接触させるとともに芯線を反挿入方向に抜け止めする錠ばねとを備え、この錠ばねは、弾性を有する導電性の板材を曲成することにより、端子板に対向配置される中央片、中央片との連結部位から先端縁に向かって端子板に近づく向きに傾斜し先端縁が芯線に食い込んで抜け止めする鎖錠片、中央片との連結部位から端子板に向けて延出され且つ先端部が芯線を端子板の方へ押圧することにより端子板との間に芯線を弾性挟持する押圧片が形成されてなり、この押圧片が、中央片との連結部位よりも先端部側で中央片との間隔が最も狭くなるように曲成されてなる端子装置であって、芯線が鎖錠片の先端部分に接触して鎖錠片が撓んだときに当該先端部分が押圧片の先端部に当接して押圧片を撓ませるように、芯線に接触する押圧片の先端部を鎖錠片の先端縁近傍に配置してなり、操作時に鎖錠片を芯線から離す向きに撓ませる解除釦を備え、押圧片の鎖錠片と対向する部位を鎖錠片から離れる向きに湾曲させてなることを特徴とし、従来に比較して錠ばね全体の寸法増大を抑えながら押圧片の中央片との連結部位から先端部までの寸法を長くすることができる。このため、押圧片を撓ませるのに必要な力が低下するから適用電線の範囲を拡大できるとともに撚り線の結線も可能となる。しかも、鎖錠片と端子板との間に芯線を挿入すると端子板から離れる向きに撓んだ鎖錠片の先端部分が押圧片の先端部に当接して押圧片を撓ませることになる。その結果、結線時における芯線の挿入感触が良好となり、芯線の挿入不良を防ぐことができる。また、解除釦で鎖錠片を撓ませたときに鎖錠片が押圧片と干渉するのを防ぐことができ、解除釦による解除操作がし易くなる。
【０００９】
請求項２の発明は、請求項１の発明において、芯線を挿入しない状態で鎖錠片の先端縁と端子板との間に隙間が空くように錠ばねが形成されたことを特徴とし、鎖錠片の先端縁と端子板との間に隙間を空けたことで撚り線が挿入し易くなる。
【００１０】
【発明の実施の形態】
以下、本発明をスイッチに適用した実施形態について、図面を参照して詳細に説明する。但し、本発明が適用される配線器具はスイッチに限定されるものではなく、例えばコンセント等の配線器具全般に適用可能である。
【００１１】
（実施形態１）
本実施形態におけるスイッチは所謂タンブラスイッチであって、図８〜図１０に示すように前面が開口した略箱状の合成樹脂製のボディ１と、前面が略矩形状に形成されるとともに、ボディ１の前面に被着される合成樹脂製のカバー２とで構成される器体１０を備えている。ボディ１の長手方向の両側面にはそれぞれ一対の係止凸部３が突設されるとともに、カバー２の後端縁からは係止凸部３と係止離脱自在に係止する係止孔４がそれぞれ穿設された舌片５が突設されており、係止凸部３と係止孔４とを凹凸係止させることによってボディ１とカバー２とが組み立てられる。
【００１２】
ボディ１の内部は隔壁によって複数の区画に仕切られており、本発明の端子装置６を収納する端子収納室９，９が両側に設けられ、後述する片切タイプ（Ｂ接点タイプ）の接点部８を収納する接点収納室７が略中央に設けられている。
【００１３】
端子収納室９，９にはそれぞれ導電材料から形成された端子板１１，１２が収納されている。端子板１１，１２はそれぞれ略コ字状に形成されたコ字状部１３，１４を有しており、コ字状部１３，１４にはそれぞれ一対の錠ばね１５が収納されて、端子装置６が構成してある。また、ボディ１の底面には各端子収納室９に連通する電線挿入孔１６が２個づつ穿設されている。
【００１４】
接点部８は端子板１１，１２と可動接点板１９とで構成される。一方の端子板１１の中央片１３ａと当接片１３ｂとの連結部位には、端部に固定接点２１が設けられた略Ｌ字状の端子片２０が突設されており、他方の端子板１２の当接片１４ｂの端部からは、先端に可動接点板１９の揺動支点となる支点凹部２２が形成された支持片２３が突設されている。可動接点板１９は導電材料よりなる帯板で形成され、端子板１１と対向する側の面には固定接点２１と接離自在に接触する可動接点２４が設けられている。ボディ１の両側面の略中央には内方に突出するリブ３３，３３が突設されており、ボディ１の接点収納室７内に端子板１１，１２を収納した状態で可動接点板１９を接点収納室７内に納めると、可動接点板１９の下端縁が端子板１２の支点凹部２２に挿入され、可動接点板１９が支点凹部２２を中心として揺動自在に配置される。この時、可動接点板１９の両側にリブ３３，３３が配置され、ボディ１の短幅方向への可動接点板１９の移動がリブ３３，３３によって規制される。また、可動接点板１９には側方に突出する突起３７が突設されており、この突起３７がリブ３３と係止することにより、可動接点板１９の揺動範囲が規制される。
【００１５】
一方、カバー２は前面に略矩形状の開口２５が形成され、開口２５の長手方向略中央の開口縁には前方に突出する軸受け台２６が突設されており、各軸受け台２６の互いに対向する面には溝２７が形成されている。また、カバー２の短幅方向の両側面には、カバー２の前面よりも一段高くなった段部２８，２８が形成され、各段部２８にはそれぞれ側方に突出する一対の係止爪２９が突設されている。なお、この係止爪２９を図示しない取付枠又はプレート枠の係止部に係止することで器体１０が取付枠又はプレート枠に取り付けられ、壁面などの施工面にスイッチが配設されるものである。
【００１６】
接点部８の開閉操作を行うための合成樹脂製の反転ハンドル３０は背面が開口した略箱状であって、前面が略矩形状に形成されており、長手方向の両側面にはカバー２の溝２７に入り込む突起３１がそれぞれ突設されている。また、反転ハンドル３０前面の長手方向における一端側には開口３４が穿設され、開口３４の両側には側方に突出する爪３５，３５が突設され、反転ハンドル３０前面の長手方向における他端側略中央には側方に突出する爪３６が突設されている。また、カバー２前面の裏側にはコイルばね３２が納められる棒状突起（図示せず）が設けられている。
【００１７】
反転ハンドル３０の前面側には合成樹脂製の操作ハンドル３８が着脱自在に取り付けられる。操作ハンドル３８は、反転ハンドル３０の前面を覆う矩形状の主部と主部の周縁から全周にわたって背方に突出する側壁とを連続一体に形成した略箱型のもので、主部裏面の長手方向略中央には弾性を有する係止爪片３９，４０が突設されている。係止爪片３９，４０の先端には内方に突出する爪３９ａ，４０ａが突設され、係止爪片３９，４０の爪３９ａ，４０ａと反転ハンドル３０の爪３５，３６とを係止させることにより、操作ハンドル３８の短幅方向における中心と器体１０の短幅方向における中心とを略一致するようにして、操作ハンドル３８が反転ハンドル３０に取り付けられる。
【００１８】
ところで、本実施形態のスイッチでは、片切タイプの接点部８のオフ時に点灯してスイッチの設置位置を表示するためのネオンランプ５３を有する点灯表示部５２を反転ハンドル３０内に組み込み、反転ハンドル３０の前面に穿設された開口３４にネオンランプ５３を臨ませている。また、操作ハンドル３８の開口３４に対応する部位には、操作ハンドル３８を貫通する長孔状の孔５４が穿設されている。導光部材からなるプリズム５５は孔５４に挿通され先端が操作ハンドル３８前面から突出する先端に丸みを持たせた細長の凸部５６を有しており、操作ハンドル３８の裏面側から孔５４内に凸部５６を挿入した状態で操作ハンドル３８にかしめ固定される。而して、操作ハンドル３８を反転ハンドル３０に取り付けると、プリズム５５の入射面５７がネオンランプ５３に対向して配置される。また、プリズム５５の凸部５６の先端が操作ハンドル３８の前面から突出しているので、凸部５６により接点部８をオン操作する際に押し操作する操作ハンドル３８の位置を容易に判別することができる。
【００１９】
一方、点灯表示部５２は、合成樹脂製の回路基板５２ａにインサート成形されている端子板（図示せず）にネオンランプ５３及び抵抗Ｒの一端を電気的に接続して成り、回路基板５２ａの略中央には圧入孔５２ｂが形成されている。そして、反転ハンドル３０内に設けられてコイルばね３２の一端部が挿入固定される棒状突起を上記圧入孔５２ｂに圧入することで回路基板５２ａが棒状突起に固定され反転ハンドル３０内に納装される。このとき、ネオンランプ５３及び抵抗Ｒは反転ハンドル３０内の棒状突起周囲のスペースに収納される。
【００２０】
回路基板５２ａの長手方向一端側（端子板１１に対向する側）からは、回路基板５２ａにインサート成形される端子板と一体に形成され、端子板１１の上面部と接離自在に接触導通する端子片５２ｃが突出させてある。この端子片５２ｃの下面には接点（図示せず）が形成してある。また、抵抗Ｒの一方の端子Ｒａが棒状突起の側面に設けた縦溝を通して棒状突起内に挿入され、棒状突起の内部において抵抗Ｒの端子Ｒａとコイルばね３２とを接触導通させている。
【００２１】
而して、可動接点板１９の可動接点２４が端子板１１の固定接点２１と開離（すなわち、接点部８がオフ）するように操作ハンドル３８を操作した場合には、回路基板５２ａの端部から突出する端子片５２ｃの下面に形成された接点が端子板１１の上面部に接触導通し、可動接点板１９と接触導通しているコイルばね３２を介してネオンランプ５３並びに抵抗Ｒに電源が供給されてネオンランプ５３が点灯し、ネオンランプ５３の発光がプリズム５５の入射面５７に入射し、プリズム５５内で屈折されて凸部５６から外部に出射され、接点部８のオフ時にスイッチの位置を表示することができる。
【００２２】
一方、可動接点板１９の可動接点２４が端子板１１の固定接点２１と接触（すなわち、接点部８がオン）するように操作ハンドル３８を操作した場合には、図９に示すように回路基板５２ａの端子片５２ｃが端子板１１の上面部から開離するので、ネオンランプ５３が消灯する。
【００２３】
次に、端子板１１，１２のコ字状部１３，１４、錠ばね１５及び解除釦１７から構成される端子装置６について説明する。錠ばね１５の鎖錠片１５ｂおよび押圧片１５ｃは、図２（ｂ）に示すように弾性を有する導電材料の帯板の両端部を曲成して中央片１５ａの両端部に形成される。また、図１に示すように端子板１１，１２のコ字状部１３，１４は、それぞれ、中央片１３ａ，１４ａと、中央片１３ａ，１４ａの両端縁から中央片１３ａ，１４ａと略直交する方向にそれぞれ突出する当接片１３ｂ，１４ｂおよび接触片１３ｃ，１４ｃから構成される。錠ばね１５の中央片１５ａは、端子板１１，１２の当接片１３ｂ，１４ｂに当接し、鎖錠片１５ｂは中央片１５ａとの連結部位から先端縁に向かってコ字状部１３，１４の接触片１３ｃ，１４ｃに近付く向きに傾斜している。また、押圧片１５ｃは略Ｓ字状に曲成されており、錠ばね１５に設けた鎖錠片１５ｂおよび押圧片１５ｃがコ字状部１３，１４の接触片１３ｃ，１４ｃと対向する。
【００２４】
ここで、本実施形態においては、錠ばね１５の押圧片１５ｃが、中央片１５ａとの連結部位よりも先端部側で中央片１５ａとの間隔が最も狭くなるように曲成されている。すなわち、図２（ｂ）に示すように押圧片１５ｃの中央片１５ａに対向する方向への曲げ部Ｘ、および中央片１５ａから離れる方向への曲げ部Ｙと中央片１５ａとの各間隔Ａ，ＢをＡ＞Ｂの関係としているため、従来に比較して錠ばね１５全体の寸法増大を抑えながら、押圧片１５ｃの中央片１５ａとの連結部位から先端部までの寸法を長くすることができ、押圧片１５ｃを撓ませるのに必要な力を低下させ、且つ押圧片１５ｃへの応力集中を分散させることができる。その結果、図２（ａ）に示す従来例に比較して適用電線の範囲を拡大できるとともに撚り線の結線も可能になる。なお、押圧片１５ｃの寸法が長くなったことに伴って鎖錠片１５ｂの寸法も長くなっており、従来例に比較して鎖錠片１５ｂも撓み易くなっている。
【００２５】
而して、端子装置６に電線１００を接続する場合には、図１に示すように電線１００の被覆が剥かれた芯線１０１を電線挿入孔１６から挿入すると、錠ばね１５のばね力により錠ばね１５の鎖錠片１５ｂ及び押圧片１５ｃと、端子板１１，１２の接触片１３ｃ，１４ｃとの間に芯線１０１が挟持され、鎖錠片１５ｂの先端縁が芯線１０１に食い込むことによって、芯線１０１が反挿入方向に抜け止めされる。なお、電線挿入孔１６は奥方ほど細くなるように形成されており、電線挿入孔１６からボディ１内に挿入された電線１００の芯線１０１が端子板１１，１２と錠ばね１５との間に確実に挿入されるようになっている。
【００２６】
また各端子収納室９内には、一対の錠ばね１５の鎖錠片１５ｂと対向させて解除釦１７が収納されている。端子装置６に接続された電線１００の芯線１０１を外す場合は、ボディ１の底面に穿設された工具挿入孔１８からマイナスドライバなどの工具を挿入して、解除釦１７を押圧することにより、解除釦１７の突起１７ａが鎖錠片１５ｂを押圧して、鎖錠片１５ｂを端子板１１，１２の接触片１３ｃ，１４ｃから離れる向きに撓ませるので、鎖錠片１５ｂが芯線１０１から離れ、電線１００を容易に引き抜くことができる。なお、解除釦１７は両側に突起１７ａを有しているので、解除釦１７を操作することによって一対の錠ばね１５の鎖錠片１５ｂを同時に撓ませて、一対の錠ばね１５と芯線１０１との係止状態を同時に解除して、芯線１０１を一度に外すことができる。
【００２７】
ところで、従来例においては、図３（ａ）に示すように錠ばね１５’の鎖錠片１５ｂ’の先端縁と押圧片１５ｃ’の先端部との間隔が大きいために、芯線１０１の挿入時に最初に鎖錠片１５ｂ’の先端縁を乗り越える際の抵抗があり、その後に押圧片１５ｃ’の先端部に接触して押圧片１５ｃ’を撓ませる際の抵抗があった。このため、図４（ａ）に示すように芯線１０１の挿入力に２つのピークが生じ、電線１００の結線時における芯線１０１の挿入感触が良くないものであった。これに対して本実施形態では、芯線１０１に接触する押圧片１５ｃの先端部を鎖錠片１５ｂの先端縁近傍に配置しているので、鎖錠片１５ｂと端子板１１，１２の接触片１３ｃ，１４ｃとの間に芯線１０１を挿入すると、図３（ｂ）に示すように接触片１３ｃ，１４ｃから離れる向きに撓んだ鎖錠片１５ｂの先端部分が押圧片１５ｃの先端部に当接して押圧片１５ｃを撓ませることとなる。このため、図４（ｂ）に示すように芯線１０１の挿入力に１つのピークしか生じず、電線１００の結線時における芯線１０１の挿入感触が良好となり、芯線１０１の挿入不良を防ぐことができる。
【００２８】
また、上述のように芯線１０１に接触する押圧片１５ｃの先端部を鎖錠片１５ｂの先端縁近傍に配置した場合、解除釦１８を操作して鎖錠片１５ｂを撓ませる際に鎖錠片１５ｂと押圧片１５ｃとが干渉すると解除作業がし難くなってしまう。そこで本実施形態においては、図５に示すように押圧片１５ｃの鎖錠片１５ｂと対向する部位Ｚを鎖錠片１５ｂから離れる向きに湾曲させており、これにより、解除釦１７で鎖錠片１５ｂを撓ませたときに鎖錠片１５ｂが押圧片１５ｃと干渉するのを防ぐことができ、解除釦１７による解除操作がし易くなるという利点がある。
【００２９】
さらに、本実施形態においては、図６に示すように芯線１０１を挿入しない状態で鎖錠片１５ｂの先端縁と端子板１１，１２の接触片１３ｃ，１４ｃとの間に隙間が空くように錠ばね１５が形成されている。すなわち、端子板１１，１２のコ字状部１３，１４における当接片１３ｃ，１４ｃと接触片１３ｃ，１４ｃとの間隔Ｌ１に対して、錠ばね１５における中央片１５ａと鎖錠片１５ｂの先端縁との間隔Ｌ２が狭くしてある（Ｌ１＞Ｌ２）。このように鎖錠片１５ｂの先端縁と端子板１１，１２の接触片１３ｃ，１４ｃとの間に隙間を空けたことで撚り線からなる芯線が挿入し易くなるという利点がある。
【００３０】
ところで、芯線１０１の径によっては鎖錠片１５ｂと端子板１１，１２の接触片１３ｃ，１４ｃとの間に芯線１０１を挿入する際に錠ばね１５が回転して芯線１０１の保持を安定させることができない虞がある。そこで、本実施形態においては、図７に示すように芯線１０１に接触する押圧片１５ｃの先端部に芯線１０１に接触する向きに突出する複数のアールＲが付けられている。このため、芯線１０１の径に応じて芯線１０１と押圧片１５ｃとの接触位置が変わるから、錠ばね１５の回転を防止して芯線１０１の保持を安定させることができる。
【００３１】
（実施形態２）
実施形態１では片切タイプの接点部８を備えたスイッチに本発明を適用しているが、本実施形態では３路タイプ（Ｃ接点タイプ）の接点部８を備えたスイッチに本発明を適用している。このスイッチの分解斜視図を図１１に、正面図を図１２（ａ）に、側面図を図１２（ｂ）に、下面図を図１２（ｃ）に、断面図を図１３にそれぞれ示す。なお、実施形態１のスイッチと同一の構成要素には同一の符号を付して、その説明を省略する。
【００３２】
接点部８は実施形態１と同じ構造の端子板１２（以下、「第１の端子板」と呼ぶ）と可動接点板１９と一対の第２の端子板５８，６０とで構成される。なお、可動接点板１９には表裏両面に後述する固定接点５９，６１とそれぞれ接離自在に接触する可動接点２４ａ，２４ｂが設けられている。
【００３３】
第２の端子板５８，６０は導電性材料からなる板材を曲成することにより、第１の端子板１２と同様に略コ字状に形成されたコ字状部を有しており、このコ字状部に一対の錠ばね１５が配置されて、端子装置６を構成する。第２の端子板５８，６０のコ字状部は中央片５８ａ，６０ａと、中央片５８ａ，６０ａの両端縁から中央片５８ａ，６０ａと略直交する方向にそれぞれ突出する接触片５８ｂ，６０ｂおよび当接片５８ｃ，６０ｃから構成される。また、第２の端子板５８，６０と一対の錠ばね１５とで端子装置６が構成される。ここで、一方の第２の端子板５８の中央片５８ａからは可動接点板１９の一方の可動接点２４ａと接離自在に接触する固定接点５９が先端に設けられた略Ｌ字状の端子片５８ｃが延設されている。さらに、他方の第２の端子板６０の中央片６０ａからは可動接点板１９の他方の可動接点２４ｂと接離自在に接触する固定接点６１が先端に設けられた略Ｌ字状の端子片６０ｄが延設されている。そして、第２の端子板５８，６０の中央片５８ａ，６０ａの各上面部には、それぞれ弾性を有する接触子６３，６４が取着される。
【００３４】
接触子６３，６４は互いに鏡像の関係にあり、第２の端子板５８，６０の中央片５８ａ、６０ａに接触導通する平板状の主片６３ａ，６４ａと、主片６３ａ，６４ａの一端部から延出して回路基板５２ｄの接触部（図示せず）に接触導通する略へ字状の接触片６３ｂ，６４ｂと、主片６３ａ，６４ａにおける接触片６３ｂ，６４ｂと隣り合う両端縁に折曲形成された一対の側片６３ｃ，６３ｄ、６４ｃ，６４ｄとが導電性を有する板材によって一体に形成されている。一方の側片６３ｃ，６４ｃの先端縁からは第２の端子板５８，６０の中央片５８ａ，６０ａに係止する係止片が内側に折曲形成され、他方の側片６３ｄ，６４ｄには内側に向けて突出する係止爪が切り起こし形成されている。
【００３５】
而して、接触子６３，６４の側片６３ｃ，６４ｃに設けた係止片を第２の端子板５８，６０の中央片５８ａ、６０ａの端部に係止した後、他方の側片６３ｄ，６４ｄを中央片５８ａ，６０ａの方へ押し付けるようにすれば、側片６３ｄ，６４ｄに設けた係止爪が中央片５８ａ、６０ａの端縁に当接して撓められ、やがて係止爪の先端が中央片５８ａ，６０ａの端縁を乗り越えると、係止爪が中央片５８ａ，６０ａの端部に係止し、接触子６３，６４が第２の端子板５８，６０に取着され且つ係止固定される。
【００３６】
ここで、カバー２の内周面に複数の押さえリブ（図示せず）が突設してあり、ボディ１とカバー２を組み立てて器体１０を構成した場合に、上記押さえリブが回路基板５２ｄの周縁部に当接して回路基板５２ｄをボディ１側へ押さえつけるようになっている。その結果、回路基板５２ｄの接触部と各接触子６３，６４の接触片６３ｂ，６４ｂとが弾接して、第２の端子板５８，６０と回路基板５２ｄとが電気的に接続されており、負荷のオフ時に接触子６３，６４を介して点灯表示部５２に給電されて、ネオンランプ５３が点灯することになる。
【００３７】
而して、本実施形態のスイッチでは、操作ハンドル３８を操作する毎に可動接点２４ａと固定接点５９、可動接点２４ｂと固定接点６１が択一的に接触・開離し、負荷（例えば、照明負荷）に通電されていないときにネオンランプ５３が点灯し、負荷に通電されているときにはネオンランプ５３が消灯する。
【００３８】
なお、本発明の端子装置が適用されるスイッチは、接点部８が上述の片切タイプや３路タイプのものに限定されるものではなく、両切タイプ（Ｄ接点タイプ）や４路タイプ（Ｅ接点タイプ）のものであっても良い。また、位置表示用のネオンランプ５３を備えていてもいなくても何れでも良い。
【００３９】
【発明の効果】
請求項１の発明は、端子板と、端子板の側方より挿入される電線の芯線を端子板に接触させるとともに芯線を反挿入方向に抜け止めする錠ばねとを備え、この錠ばねは、弾性を有する導電性の板材を曲成することにより、端子板に対向配置される中央片、中央片との連結部位から先端縁に向かって端子板に近づく向きに傾斜し先端縁が芯線に食い込んで抜け止めする鎖錠片、中央片との連結部位から端子板に向けて延出され且つ先端部が芯線を端子板の方へ押圧することにより端子板との間に芯線を弾性挟持する押圧片が形成されてなり、この押圧片が、中央片との連結部位よりも先端部側で中央片との間隔が最も狭くなるように曲成されてなる端子装置であって、芯線が鎖錠片の先端部分に接触して鎖錠片が撓んだときに当該先端部分が押圧片の先端部に当接して押圧片を撓ませるように、芯線に接触する押圧片の先端部を鎖錠片の先端縁近傍に配置してなり、操作時に鎖錠片を芯線から離す向きに撓ませる解除釦を備え、押圧片の鎖錠片と対向する部位を鎖錠片から離れる向きに湾曲させてなるので、従来に比較して錠ばね全体の寸法増大を抑えながら押圧片の中央片との連結部位から先端部までの寸法を長くすることができ、押圧片を撓ませるのに必要な力が低下するから適用電線の範囲を拡大できるとともに撚り線の結線も可能になり、しかも、鎖錠片と端子板との間に芯線を挿入すると端子板から離れる向きに撓んだ鎖錠片の先端部分が押圧片の先端部に当接して押圧片を撓ませ、結線時における芯線の挿入感触が良好となり、芯線の挿入不良を防ぐことができ、さらに、解除釦で鎖錠片を撓ませたときに鎖錠片が押圧片と干渉するのを防ぐことができ、解除釦による解除操作がし易くなるという効果がある。
【００４０】
請求項２の発明は、請求項１の発明において、芯線を挿入しない状態で鎖錠片の先端縁と端子板との間に隙間が空くように錠ばねが形成されたので、鎖錠片の先端縁と端子板との間に隙間を空けたことで撚り線が挿入し易くなるという効果がある。
【図面の簡単な説明】
【図１】実施形態１を示すスイッチの要部断面図である。
【図２】（ａ）は従来の錠ばねを示す平面図、（ｂ）は実施形態１の錠ばねを示す平面図である。
【図３】（ａ）は従来の端子装置を示す側面図、（ｂ）は実施形態１の端子装置を示す側断面図である。
【図４】（ａ）は従来例の動作説明図、（ｂ）は実施形態１の動作説明図である。
【図５】同上の説明図である。
【図６】同上の説明図である。
【図７】（ａ）は同上における錠ばねの平面図、（ｂ）は錠ばねの押圧片の先端部を示す平面図である。
【図８】同上におけるスイッチの分解斜視図である。
【図９】同上におけるスイッチの断面図である。
【図１０】（ａ）は同上におけるスイッチの正面図、（ｂ）は同上におけるスイッチの側面図、（ｃ）は同上におけるスイッチの下面図である。
【図１１】実施形態２におけるスイッチの分解斜視図である。
【図１２】同上におけるスイッチの断面図である。
【図１３】（ａ）は同上におけるスイッチの正面図、（ｂ）は同上におけるスイッチの側面図、（ｃ）は同上におけるスイッチの下面図である。
【図１４】従来例を示す配線器具の要部断面図である。
【符号の説明】
１１，１２ 端子板
１３，１４ コ字状部
１３ｃ，１４ｃ 接触片
１５ 錠ばね
１５ａ 中央片
１５ｂ 鎖錠片
１５ｃ 押圧片
１００ 電線
１０１ 芯線
【図１】
0004303413.tif 000002
【図２】
0004303413.tif 000003
【図３】
0004303413.tif 000004
【図４】
0004303413.tif 000005
【図５】
0004303413.tif 000006
【図６】
0004303413.tif 000007
【図７】
0004303413.tif 000008
【図８】
0004303413.tif 000009
【図９】
0004303413.tif 000010
【図１０】
0004303413.tif 000011
【図１１】
0004303413.tif 000012
【図１２】
0004303413.tif 000013
【図１３】
0004303413.tif 000014
【図１４】
0004303413.tif 000015